【手続補正書】
【提出日】平成29年6月23日(2017.6.23)
【手続補正１】
【補正対象書類名】特許請求の範囲
【補正対象項目名】全文
【補正方法】変更
【補正の内容】
【特許請求の範囲】
【請求項１】
近位端部及び遠位端部を有する細長い本体を備える縫合装置と、
前記遠位端部近くの複数のアームであって、各アームは、前記アームが前記細長い本体の中に後退している第１の位置と、前記アームが前記細長い本体から離れる方向に延びる自由端を有する第２の位置との間で移動するように構成され、各アームが前記自由端に少なくとも１つの縫合糸マウントを備える、前記遠位端部近くの複数のアームと、
前記細長い本体の少なくとも一部を取り囲むように構成されるシースと、
前記シースの少なくとも一部を取り囲むように構成される複数の外側管腔及び中央管腔を有する針キャリッジと、
複数の針であって、各針は、対応する外側管腔の中に前記針がある後退位置から、前記針の遠位先が前記対応する外側管腔から出て対応する縫合糸マウントの中に延びている展開位置の間で移動するように構成される、複数の針と、
複数の縫合糸部であって、各縫合糸部が、前記複数のアームのうちの対応するアームの縫合糸マウントの中に取り外し可能に保持される縫合糸端を有する、複数の縫合糸部とを備える、縫合システム。
【請求項２】
前記複数のアームに近接して配置される少なくとも１つの位置合わせ延長部を更に備え、各位置合わせ延長部が、前記位置合わせ延長部が前記細長い本体の中に後退されている第１の位置と、前記位置合わせ延長部が前記細長い本体から離れる方向に延びる自由端を有する第２の位置との間で移動するように構成される、請求項１に記載の縫合システム。
【請求項３】
前記少なくとも１つの位置合わせ延長部のそれぞれが、前記針キャリッジと係合するように構成される少なくとも１つのデテントを備える、請求項２に記載の縫合システム。
【請求項４】
前記少なくとも１つの位置合わせ延長部のそれぞれが、前記後退位置から前記展開位置に移動する針を反らすように構成される角度付き面を備える、請求項２又は３に記載の縫合システム。
【請求項５】
前記少なくとも１つの位置合わせ延長部のそれぞれが前記第２の位置にあるとき、前記位置合わせ延長部の前記自由端が、前記複数のアームが前記第２の位置にあるときの前記複数のアームの前記自由端より、前記細長い本体に近い、請求項２から４までのいずれか一項に記載の縫合システム。
【請求項６】
前記位置合わせ延長部が前記第１の位置から前記第２の位置まで移動するとき、前記少なくとも１つの位置合わせ延長部のそれぞれの前記自由端が近位方向に移動する、請求項２から５までのいずれか一項に記載の縫合システム。
【請求項７】
前記少なくとも１つの位置合わせ延長部が、複数のアームである、請求項２から６までのいずれか一項に記載の縫合システム。
【請求項８】
前記展開位置にある各針が、前記少なくとも１つの位置合わせ延長部の１つを通過する、請求項２から７までのいずれか一項に記載の縫合システム。
【請求項９】
前記少なくとも１つの位置合わせ延長部のそれぞれが、１つの針誘導区間を有する、請求項２から８までのいずれか一項に記載の縫合システム。
【請求項１０】
前記縫合装置が、前記遠位端部の近くに少なくとも１つの位置合わせデテントを備え、前記針キャリッジが、対応する位置合わせデテントと係合するように構成される少なくとも１つのキャリッジ・デテントを備える、請求項１に記載の縫合システム。
【請求項１１】
前記少なくとも１つの位置合わせデテントが、凹部であり、前記少なくとも１つのキャリッジ・デテントが、突起である、請求項１０に記載の縫合システム。
【請求項１２】
前記少なくとも１つのキャリッジ・デテントが、前記中央管腔の中に延びる突起である、請求項１０又は１１に記載の縫合システム。
【請求項１３】
前記少なくとも１つのキャリッジ・デテントのそれぞれが前記少なくとも１つの位置合わせデテントの対応する１つと係合するとき、各外側管腔が、対応する縫合糸マウントと長手方向に位置合わせされる、請求項１０から１２までのいずれか一項に記載の縫合システム。
【請求項１４】
前記アームが前記第１の位置から前記第２の位置まで移動するとき、前記複数のアームのそれぞれの前記自由端が、近位方向に移動する、請求項１から１３までのいずれか一項に記載の縫合システム。
【請求項１５】
前記針キャリッジの遠位端部に針デフレクタを更に備える、請求項１から１４までのいずれか一項に記載の縫合システム。
【請求項１６】
前記針デフレクタが、前記針キャリッジと一体化して形成される、請求項１５に記載の縫合システム。
【請求項１７】
近位端部及び遠位端部を有する細長い本体を備える縫合装置と、
前記遠位端部近くの第１の複数のアームであって、前記第１の複数のアームの各アームは、前記アームが前記細長い本体の中に後退している第１の位置と、前記アームが前記細長い本体から離れる方向に延びる自由端を有する第２の位置との間で移動するように構成され、各アームが前記自由端に少なくとも１つの縫合糸マウントを備える、前記遠位端部近くの第１の複数のアームと、
前記第１の複数のアームに近接する第２の複数のアームであって、前記第２の複数のアームの各アームは、前記アームが前記細長い本体の中に後退している第１の位置と、前記アームが前記細長い本体から離れる方向に延びる自由端を有する第２の位置との間で移動するように構成される、前記第１の複数のアームに近接する第２の複数のアームと、
前記細長い本体の少なくとも一部を取り囲むように構成されるシースと、
複数の針であって、各針は、前記針の遠位先が、前記第２の複数のアームに近接する後退位置と、前記針の遠位先が、前記第２の複数のアームを通って対応する縫合糸マウントの中に延びている展開位置との間で移動するように構成される、複数の針と、
複数の縫合糸部であって、各縫合糸部が、前記第１の複数のアームのうちの対応するアームの縫合糸マウントの中に取り外し可能に保持される縫合糸端を有する、複数の縫合糸部とを備える、縫合システム。
【請求項１８】
前記第１の複数のアームが、前記遠位端部の近くに４本のアームを備える、請求項１７に記載の縫合システム。
【請求項１９】
前記縫合装置が、４本の針を備え、各針が、前記第１の複数のアームのうちの対応するアームと関連付けられる、請求項１８に記載の縫合システム。
【請求項２０】
前記第２の複数のアームが、４本のアームを備え、各アームが、前記第１の複数のアームのうちの対応するアームと位置合わせされる、請求項１８又は１９に記載の縫合システム。
【請求項２１】
前記針が、前記展開位置に同時に移動するように構成される、請求項１７から２０までのいずれか一項に記載の縫合システム。
【請求項２２】
前記アームが前記第１の位置から前記第２の位置に移動するとき、前記第１の複数のアームの前記それぞれの前記自由端が、近位方向に移動する、請求項１７から２１までのいずれか一項に記載の縫合システム。
【請求項２３】
前記細長い本体を少なくとも部分的に取り囲むように構成される針キャリッジを更に備える、請求項１７から２２までのいずれか一項に記載の縫合システム。
【請求項２４】
前記針キャリッジが、前記シースの少なくとも一部を少なくとも部分的に取り囲むように構成される、請求項２３に記載の縫合システム。
【請求項２５】
前記針キャリッジが、少なくとも２つの分離可能な片を備える、請求項２３又は２４に記載の縫合システム。
【請求項２６】
前記針キャリッジが、複数の管腔を備える、請求項２３から２５までのいずれか一項に記載の縫合システム。
【請求項２７】
前記複数の針のそれぞれが、管腔の中に配置される、請求項２６に記載の縫合システム。
【請求項２８】
前記針キャリッジが、前記第２の複数のアームのうちのアームの近位表面上のデテントと嵌合するように構成される遠位端部に少なくとも１つのデテントを備える、請求項２３から２７までのいずれか一項に記載の縫合システム。
【請求項２９】
前記針キャリッジ・デテントが、突出部であり、前記アーム・デテントが、凹部である、請求項２８に記載の縫合システム。